(57)【要約】【課題】カプセル型内視鏡のように被検体内に導入する装置（被検体内導入装置）への電力供給を効率良く行うとともに、この電力供給を行うための導電線が配設され、かつ開き部を有する衣類の使い勝手を良好にすること。【解決手段】ベスト２１の内周面に配設された複数の導電線３１〜３ｍを、ベスト２１の開き部２２，２２に設けた一対のボタン型の係合部材４１，４２で接続させて、１本のコイル２３を形成させ、電磁誘導現象によってこのコイル２３を介して被検体１０内部のピル１に電力を供給する。【選択図】        図３
2005052365.tif 000002
【特許請求の範囲】
【請求項１】
被検体の内部に導入されて、被検体内情報を取得する被検体内導入装置に対して、前記被検体の外部から電力を供給する電力供給装置において、
前記被検体を被覆するとともに、開閉可能な開き部を有する衣類の周面に巻回されて配設された複数の導電線と、
前記衣類の開き部同士を合わせたときに異なる前記導電線同士を接続させて、少なくとも１本のコイルを形成させるコイル形成部と、
前記コイルを介して被接触で前記被検体内導入装置に電力を供給する電力供給手段と、
を備えたことを特徴とする電力供給装置。
【請求項２】
前記コイル形成部は、少なくとも１本の前記導電線の端部を接続させ、かつ前記衣類の開き部の対向する位置に配設されたボタン型の係合部材からなり、前記衣類の開き部同士を合わせて前記対向する係合部材同士が係合したときに、前記異なる導電線同士を接続させることを特徴とする請求項１に記載の電力供給装置。
【請求項３】
前記係合部材は、複数の前記異なる導電線の端部がそれぞれ接続され、前記対向する係合部材同士が係合したときに、前記異なる導電線同士を連続して接続させて、少なくとも１本のコイルを形成させることを特徴とする請求項２に記載の電力供給装置。
【発明の詳細な説明】
【技術分野】
【０００１】
本発明は、被検体内に導入された被検体内導入装置、たとえば飲込み型のカプセル型内視鏡（以下、「ピル」という）に、被検体の外部から電力を供給する電力供給装置に関するものである。
【背景技術】
【０００２】
近年、内視鏡の分野では、撮像機能と無線機能とが装備されたピルが登場している。このピルは、観察（検査）のために被検体である被検者に飲込まれた後、被検者の生体から自然排出されるまでの観察期間、胃、小腸などの臓器の内部をその蠕動運動に伴って移動し、撮像機能を用いて順次撮像する構成である。
【０００３】
また、これら臓器内の移動によるこの観察期間、ピルによって生体内で撮像された画像データは、順次無線通信などの無線機能により、被検体の外部に設けられた外部装置に送信され、メモリに蓄積される。被検者がこの無線機能とメモリ機能を備えた外部装置を携帯することにより、被検者は、ピルを飲み込んだ後、排出されるまでの観察期間、不自由を被ることなく行動が可能になる。観察後は、医者もしくは看護士によって、外部装置のメモリに蓄積された画像データに基づいて、臓器の画像をディスプレイなどの表示手段に表示させて診断を行うことができる。
【０００４】
この種のピルに電力を供給するシステムとしては、たとえば特許文献１に示すものがある。このシステムでは、ラジオカプセル（ピルに相当）が被検体の生体内に留置されるため、生体外部からピル内部に電力を送信することにより、そのピル内部に電力を供給するものがあった。すなわち、このシステムでは、外部装置に電力送信用アンテナを、このピル内部に電力受信アンテナをそれぞれ設け、この外部装置から送信用アンテナ、受信用アンテナを介してピル内に電力を供給して、生体内に長時間留置されたピルの観察動作を可能にしていた。
【０００５】
【特許文献１】特開２００１−２３１１８６号公報（第３頁、図１）
【発明の開示】
【発明が解決しようとする課題】
【０００６】
しかしながら、このような電力送信システムでは、被検体である被検者が着用する衣類の表面に設けた平面的なアンテナで、単に電力を供給するだけなので、ピルへの電力供給が効率良く行うことができなかった。
【０００７】
そこで、図１６に示すように、コイル形状の導電線（以下、「コイル」という）２３を、被検者の着用する衣類２１の内周面に立体的に配設して、電力供給を効率的に行うことも想起できるが、たとえば図示した前開きの衣類２１にこのコイル２３を配設する場合には、開き部２２でのコイル２３をどのように配線するか、この開き部２２でコイル２３を切り離す場合には、電力供給時にどのようにコイルの導電線同士を接続するかなどが問題となり、実装面での配線に困難が伴っていた。
【０００８】
本発明は、上記に鑑みてなされたものであって、カプセル型内視鏡のように被検体内に導入する装置（被検体内導入装置）への電力供給を効率良く行うとともに、この電力供給を行うための導電線が配設され、かつ開き部を有する衣類の使い勝手を良好にする電力供給装置を提供することを目的とする。
【課題を解決するための手段】
【０００９】
上述した課題を解決し、目的を達成するために、本発明は、被検体の内部に導入されて、被検体内情報を取得する被検体内導入装置に対して、前記被検体の外部から電力を供給する電力供給装置において、前記被検体を被覆するとともに、開閉可能な開き部を有する衣類の周面に巻回されて配設された複数の導電線と、前記衣類の開き部同士を合わせたときに異なる前記導電線同士を接続させて、少なくとも１本のコイルを形成させるコイル形成部と、前記コイルを介して被接触で前記被検体内導入装置に電力を供給する電力供給手段と、を備えたことを特徴とする。
【００１０】
また、請求項２の発明では、前記コイル形成部は、少なくとも１本の前記導電線の端部が接続され、かつ前記衣類の開き部の対向する位置に配設されたボタン型の係合部材からなり、前記衣類の開き部同士を合わせて前記対向する係合部材同士が係合したときに、前記異なる導電線同士を接続させることを特徴とする。
【００１１】
また、請求項３の発明では、前記係合部材は、複数の前記異なる導電線の端部がそれぞれ接続され、前記対向する係合部材同士が係合したときに、前記異なる導電線同士を連続して接続させて、少なくとも１本のコイルを形成させることを特徴とする。
【発明の効果】
【００１２】
本発明にかかる電力供給装置は、衣類の周面に巻回される複数の導電線を有し、前記衣類の開き部同士を合わせたときに異なる前記導電線同士がコイル形成部によって接続されて、少なくとも１本のコイルを形成させ、このコイルを介して被検体内導入装置へ電力を供給するので、被検体内導入装置への電力供給を効率良く行うことができ、使い勝手の良い電力供給装置が提供できるという効果を奏する。
【００１３】
また、本発明にかかる電力供給装置は、少なくとも１本の導電線の端部をボタン型の係合部材に接続させ、前記対向する係合部材同士が係合したときに、異なる導電線同士が接続されて、コイルを形成させるので、さらに使い勝手の良い電力供給装置が提供できる。
【発明を実施するための最良の形態】
【００１４】
以下に、本発明にかかる電力供給装置の好適な実施の形態を、図１〜図１５の図面に基づいて詳細に説明する。なお、図１６と同様の構成部分に関しては、説明の都合上、同一符号を付記するものとする。また、本発明は、この実施の形態に限定されるものではなく、本発明の要旨を逸脱しない範囲で種々の変形実施が可能である。
【００１５】
（実施の形態１）
図１は、本発明にかかる電力供給装置を用いたカプセル型内視鏡システムの概念を示すシステム概念図である。図において、このカプセル型内視鏡システムは、被検体１０である生体内に導入されるピル（被検体内導入装置）１と、生体の外部に配置されて、ピル１に電力を供給するとともに、ピル１との間で各種の情報を無線通信する外部装置２とから構成されている。
【００１６】
ピル１は、たとえば被検体１０の被検部位をＬＥＤ（発光素子）で照射して、その反射光である被検体像をＣＣＤ（電荷結合素子）で撮像する撮像機能と、この撮像された撮像信号をＲＦ信号に変調して送信用アンテナから送信する無線機能と、カプセル型ピルの周面に巻回された受電用コイルを介して電力を受電し、蓄電器に蓄積する受電機能とを備えている（図示せず）。また、ピル１では、たとえば電力供給用信号に重畳された各種制御信号に基づいて、上述したＬＥＤやＣＣＤなどの駆動を制御している。
【００１７】
外部装置２は、図２のブロック図に示すように、ピル１に配設されたコイルと互いに誘導結合するように、被検者が着用する衣類の内周面に配設されたコイル状の導電線（以下、単に「コイル」という）２３と（図１６参照）、ピルからの上述したＲＦ信号を受信する受信用アンテナ２４と、コイル２３を介して電力供給を行うとともに、このコイル２３および受信用アンテナ２４を介してピル１と通信を行うための体外ユニット２５とから構成されている。なお、対外ユニット２５は、交流電力からなる電力供給用信号に上記各制御信号を重畳させてピル１に供給している。
【００１８】
コイル２３は、複数の導電線３１〜３ｍ（ｍは任意の正数）と、これら導電線３１〜３ｍの端部に設けられた係合部材４１，４２とからなり、図３に示すように、これら導電線３１〜３ｍは、着脱可能な前開きの衣類（たとえばベスト）２１の内周面に所定間隔を隔てて設けられている。
【００１９】
図４は、図３に示した係合部材の構成と、この係合部材に接続される導電線の状態を示す図である。図において、この係合部材４１，４２は、衣類２１の開き部２２，２２の対向する位置に、たとえば等間隔に配設された一対のボタン型の部材からなる。この係合部材４１，４２は、互いが嵌め合わされて係合する円筒形の凹部４１ａと凸部４２ａとを有している。この凹部４１ａと凸部４２ａには、複数の導電線、たとえば４本の導電線３１〜３５の端部がそれぞれ接続される複数の端子４１ｂ，４２ｂと、この端子４１ｂ，４２ｂの位置を合わせるための位置決め用切り欠け４１ｃ，４２ｃが設けられている。
【００２０】
この構成において、衣類２１の開き部２２，２２同士を合わせて、対向する係合部材４１，４２同士が位置決めされて係合したときに、所定の端子４１ｂ，４２ｂが接触して、異なる導電線同士が接続されて、１本の所定ピッチのコイル２３を形成させることができる。さらに、凹部４１ａを有する係合部材４１は、この凹部４１ａの表面を絶縁体で覆い、被検者と端子とが導通して通電状態になるのを防いで、被検者による係合部材４１，４２同士を嵌め合わせる動作を可能にしている。このコイル２３の両端は、電力供給を行う体外ユニット２５に接続されている。
【００２１】
ここで、被検者がこのベスト２１を着用し、対の係合部材４１，４２同士を係合させると、各導電線が連続して接続されて、１本のコイル２３を形成させる。このコイル２３に対外ユニット２５（図２参照）から電力が供給されると、コイル２３に電流が流れ、図５に示すように、コイル２３を貫くように磁束３が生じて、電磁誘導現象により被検体１０内部のピル１のコイルに誘導起電力が生じ、ピル１の内部に電力が供給される。
【００２２】
なお、この実施の形態では、図６に示すように、全ての導電線が接続された状態を検知する検知装置を設けることも可能である。この検知装置は、コイル２３に流れる電流を検出するための電流検出用コイル２６と、この電流検出用コイル２６で検出された電流値を検出する電流検出回路２７とから構成されている。この実施の形態では、たとえば電流検出回路２７を対外ユニット２５と接続させて、所定の電流値が検出されない場合、すなわち導電線３１〜３ｍのいずれかが接続状態にない場合には、対外ユニット２５内からの電力供給を停止して、給電手段であるバッテリからの無駄な電力供給を阻止して、必要なときにのみ電力供給を行って、バッテリの保護を図るようにすることが可能となる。また、電流値が検出されて、過電流が流れた場合には、回路の保護のために動作を停止する保護回路として用いることも可能である。
【００２３】
このように、この実施の形態では、衣類の内周面に配設された複数の導電線を、衣類の開き部に設けた一対のボタン型の係合部材で接続させて、１本のコイルを形成させ、電磁誘導現象によってこのコイルを介して被検体内部の被検体内導入装置（ピル）に電力を供給するので、ピルへの電力供給を効率良く行うとともに、導電線が配設され、かつ開き部を有する衣類の使い勝手を良好にすることができる。
【００２４】
また、この実施の形態では、係合部材に複数の導電線の端部が接続される複数の端子を備え、対向する係合部材が係合した場合に、異なる導電線同士が連続して接続されて１本のコイルを形成するので、開き部を有する衣類の使い勝手をさらに良好にすることができる。
【００２５】
また、この実施の形態では、コイル形成部を構成する係合部材に位置決め用の切り欠けを設けて、係合部材の所定の端子同士が接触できるようにして、コイル形成部の位置を合わせるので、開き部を有する衣類の内周面に容易にコイルを形成することが可能となる。
【００２６】
（実施の形態２）
図７は、この発明にかかる導電線が配設されるベストの実施の形態２を示す平面図である。図において、この実施の形態では、着脱可能な前開きのベスト２１の内周面に所定間隔を隔てて設けられ、かつ一部（この実施の形態では、２箇所、ただし導電線５１と５ｎは１箇所）がコイルＣ１，Ｃ２からなる導電線５１〜５ｎ（ｎは、任意の正数）と、これら導電線５１〜５ｎのコイルＣ１，Ｃ２の部分が、ベスト２１の開き部２２の対向する位置に配設された折返し形状の係合部材４３，４４とからなる。
【００２７】
図８は、図７に示した係合部材４３，４４の構成を示す図である。図において、この係合部材４３，４４は、衣類２１の開き部２２，２２の対向する位置に、たとえば等間隔に配設された一対の折返し形状の部材からなる。この係合部材４３，４４は、折返し形状の折返し部４３ａ，４４ａを有し、この折返し部４３ａは、外側に折り返され、この折返し部４４ａは、内側に折り返されており、この折返し部４３ａ，４４ａには、コイルＣ１，Ｃ２が設けられている。導電線５１と５ｎの両端は、電力供給を行う体外ユニット２５に接続されている。
【００２８】
この構成において、この折返し部４３ａ，４４ａが互いに係合すると、図９に示す回路構成と等価になる。ここで、被検者がこのベスト２１を着用し、対の係合部材４３，４４同士を係合させ、対外ユニット２５から電力が供給されると、電磁誘導現象により導電線５１，５２に電流が流れて、電気的にコイル２３が形成される。さらに、このコイル２３を貫くように磁束が生じて、電磁誘導現象により被検体１０内部のピル１のコイルに誘導起電力が生じ、ピル１の内部に電力が供給される。
【００２９】
このように、この実施の形態では、一部にコイルを有する導電線を、ベストの内周面に配設するとともに、このコイルの部分をベストの開き部の対向する位置に設けられた係合部材にそれぞれ配置し、この係合部材同士が係合したときに、異なるコイル同士が電磁誘導現象を生じるように接続されて、被検体内部のピルに電力を供給するので、実施の形態１と同様に、ピルへの電力供給を効率良く行うとともに、導電線が配設され、かつ開き部を有する衣類の使い勝手を良好にすることができる。
【００３０】
また、この実施の形態では、対向する係合部材同士を掛け合わせて係合させるだけで、異なる導電線同士が電気的に連続して接続されてコイルを形成するので、開き部を有する衣類の使い勝手をさらに良好にすることができる。
【００３１】
また、この実施の形態でも、導電線の接続状態を検知する検知装置を設けることが可能であるので、実施の形態１と同様の効果を奏することができる。
【００３２】
（実施の形態３）
図１０は、この発明にかかる導電線が配設されるベストの実施の形態２を示す開き部部分の平面図である。図において、この実施の形態では、ベスト２１の開き部２２の対向する位置に帯形状または平板形状で、かつ軟性の磁性体からなる係合部材４５，４６を設ける。この磁性体は、極性の異なる磁石からなり、たとえばＳ極の磁石４５の表面に導電線３１〜３ｍ−１の一端が配設され、Ｎ極の磁石４６の裏面に導電線３２〜３ｍの一端が配設されている。また、この磁石４５，４６には、導電線３１〜３ｍ−１の端部の位置を合わせるための位置決め用の切り欠け４５ａ，４６ａが配設されている。
【００３３】
この構成において、衣類２１の開き部２２，２２同士を重ね合わせて、対向する磁石４５，４６同士が位置決めされて磁着したときに、所定の導電線３１〜３ｍの端部が接触して、異なる導電線同士が接続されて、１本の所定ピッチのコイル２３を形成させることができる。なお、この実施の形態では、コイル２３に流れる電流が大きいので、磁石の磁場の影響を受けることなく、ピル１へ電力供給を行うことができる。
【００３４】
このように、この実施の形態では、ベストの内周面に配設された複数の導電線を、ベスト２１の開き部２２，２２に設けた磁性体４５，４６で接続させて、磁性体４５，４６が磁着したときに、異なる導電線同士が接続されて、１本のコイル２３を形成させ、電磁誘導現象によってこのコイル２３を介して被検体１０内部のピル１に電力を供給するので、実施の形態１と同様に、ピル１への電力供給を効率良く行うとともに、導電線が配設され、かつ開き部を有する衣類の使い勝手を良好にすることができる。
【００３５】
なお、この発明は、この実施の形態に限らず、たとえば図１１の他例に示すように、係合部材４５としてＳ極とＮ極の磁石を交互に配列したものを用い、この配列と逆の極性に配列された対向する係合部材４６と磁着するように、構成することも可能である。この場合には、極性の異なる磁石が交互に配列されるので、位置決め用の切り欠けを用いることなく、所定の導電線の端部同士の位置決めを行うことができ、さらに開き部を有する衣類の使い勝手を良好にすることができる。
【００３６】
さらに、図１２に示すように、係合部材４５，４６である交互に配列した磁石の間隔を離隔するように構成することも可能である。この場合も、上記と同様に、所定の導電線の端部同士の位置決めを容易に行うことができ、さらに開き部を有する衣類の使い勝手を良好にすることができる。
【００３７】
また、上述した磁石の代わりに、面ファスナを用いることも可能である（図示せず）。この面ファスナを開き部２２の対向する位置に配設して、互いの接着面を重ね合わせて係合することで、ベストの内周面に配設された異なる導電線同士が接続されて、複数の導電線を接続させて、１本のコイルを形成させ、コイルを介して被検体内部のピルに電力を供給するので、実施の形態３と同様の効果を奏することができる。
【００３８】
（実施の形態４）
図１３は、この発明にかかる導電線が配設されるベストの実施の形態４を示す平面図である。図において、この実施の形態では、ベスト２１の開き部２２，２２に小片部材４７とスライダ４８を有するファスナからなる係合部材を設けることも可能である。このファスナでは、小片部材４７は、ベストの開き部の対向する位置に複数連続して配列されており、スライダ４８は、対向位置の小片部材４７同士を噛み合わせて係合させている。
【００３９】
この実施の形態では、図１４に示すように、たとえば開き部２２に配列された２つの小片部材４７に同じ導電線の端部がそれぞれ接続されるとともに、異なる導電線の端部が接続された小片部材との間には、導電線が接続されていない絶縁体の小片部材が少なくとも１つ介在している。そして、スライダ４８によって対向する位置の小片部材４７同士が噛み合ったときに、対向する小片部材４７に接続された異なる導電線同士、この実施の形態では、ベストの内周面に巻回されて配設された導電線３１と３２、導電線３２と３３同士が接続されて、１本のコイルを形成させる。
【００４０】
なお、配列される２つの小片部材に同じ導電線の端部を接続させたのは、たとえば対向する小片部材４７の噛み合わせ位置が１〜２段上下にずれた場合でも、導電線同士の接続を可能にして、コイルを容易に形成させるためである。また、異なる導電線の端部が接続された導電体の小片部材の間に、絶縁体の小片部材を介在させたのは、複数の導電線同士が互いに導通してコイル形成が困難になるのを防ぐためである。
【００４１】
さらに、この実施の形態では、開き部２２の最上部に配列される小片部材４７に、全ての導電線が接続された状態を検知する検知装置を設ける。この検知装置は、図１５に示すように、アース設置された導電線５３の端部を、開き部２２の最上部の２つの小片部材４７ａ，４７ｂに接続させ、かつ基準電圧ＶDDが印加させる導電線５４の端部を、小片部材４７ａ，４７ｂと対向する小片部材４７ｃに接続させる。
【００４２】
そして、開き部２２が互いに開いていて小片部材４７ａ，４７ｂと４７ｃとが噛み合わされていない状態、または小片部材４７ａ，４７ｂと４７ｃとが正しく噛み合わされていない状態では、導電線５４に接続された電圧検出回路５５が、基準電圧ＶDDを検出する。また、スライダ４８のスライド動作によって、小片部材４７ａ，４７ｂと４７ｃとが正しく噛み合わされた状態においては、導電線５４がアース設置された導電線５３と接続されるので、電圧検出回路５５は、０Ｖを検出することとなり、導電線の接続の有無を検知することができる。
【００４３】
このように、この実施の形態では、衣類の内周面に配設された複数の導電線を、衣類の開き部に設けたスライド式のファスナからなる係合部材で接続させて、対向する小片部材同士が噛み合ったときに、異なる導電線同士が接続されて、１本のコイルを形成させ、電磁誘導現象によってこのコイルを介してピルに電力を供給するので、実施の形態１と同様に、ピルへの電力供給を効率良く行うとともに、スライド式のファスナで異なる導電線同士を容易に接続することができるので、導電線が配設され、かつ開き部を有する衣類の使い勝手をさらに良好にすることができる。
【００４４】
また、この実施の形態では、電圧検出回路を対外ユニットと接続させて、所定の電圧値が検出されない場合、すなわち導電線が正しい接続状態にない場合には、対外ユニット内からの電力供給を停止して、給電手段であるバッテリからの無駄な電力供給を阻止して、バッテリの保護を図るようにすることが可能となる。また、電圧値が検出されて、過電流が流れた場合には、回路の保護のために動作を停止する保護回路として用いることも可能である。
【００４５】
なお、この実施の形態では、導電線の端部が接続された小片部材を導電体の部材で構成させたが、この発明はこれに限らず、たとえば導電線の端部のみが露出するように、絶縁体の小片部材に接続させ、対向する小片部材同士が噛み合わされたときに、この露出した導電線の端部が接触するように構成して、接点を保護することも可能である。
【００４６】
また、これらの実施の形態では、導電線を接続して１本のコイルを形成させたが、この発明はこれに限らず、導電線を分断して複数のコイルを形成させることも可能である。たとえば、ベストの上段、中段、下段の３本のコイルを形成させ、各コイルの両端を対外ユニットに接続させて、被検体内のピルの位置に応じて、電力供給を行うコイルを切り替えるように、構成することも可能である。
【００４７】
また、図２に示した受信用アンテナ２４を、コイル２３に重ねて回巻する用に構成することも可能である。この場合には、受信用アンテナ２４に対しても、上述した実施の形態と同様の構成で、開き部２２で分断されたアンテナを係合部材を用いて接続させることとなる。
【００４８】
なお、この発明では、一つの導電線の両端部同士が係合部材を係合させたときに接続されるような導電線を設け、少なくとも一本以上のらせん状のコイル体と、少なくとも一つ以上の輪が形成されるようにしてもよい。また、この発明では、単に、少なくとも一つ以上の輪が形成されるだけでもよい。
【００４９】
さらに、この発明では、電力供給装置を、たとえばジャケットを被検者の首部分の箇所までを覆うような構成とすれば、これにより、被検者の食道部分をコイル体などで被覆することもできる。この場合において、食道部分を被覆するコイル体を、他の部分と比較して密なもの（ピッチ幅の小さいもの）とすれば、食道においてピルが短時間で通過する場合においても、好適に給電することが可能となる。
【００５０】
（付記１）
被検体の内部に導入されて、被検体内情報を取得する被検体内導入装置に対して、前記被検体の外部から電力を供給する電力供給装置において、前記被検体を被覆するとともに、開閉可能な開き部を有する衣類の周面に巻回されて配設された複数の導電線と、前記衣類の開き部同士を合わせたときに異なる前記導電線同士を接続させて、少なくとも１本のコイルを形成させるコイル形成部と、前記コイルを介して被接触で前記被検体内導入装置に電力を供給する電力供給手段と、を備えたことを特徴とする電力供給装置。
【００５１】
（付記２）
前記コイル形成部は、少なくとも１本の前記導電線の端部を接続させ、かつ前記衣類の開き部の対向する位置に配設されたボタン型の係合部材からなり、前記衣類の開き部同士を合わせて前記対向する係合部材同士が係合したときに、前記異なる導電線同士を接続させることを特徴とする付記１に記載の電力供給装置。
【００５２】
（付記３）
前記係合部材は、複数の前記異なる導電線の端部がそれぞれ接続され、前記対向する係合部材同士が係合したときに、前記異なる導電線同士を連続して接続させて、少なくとも１本のコイルを形成させることを特徴とする付記２に記載の電力供給装置。
【００５３】
（付記４）
前記電力供給装置は、少なくとも一部がコイル形状の導電線を備え、前記コイル形成部は、前記コイルの部分が前記衣類の開き部の対向する位置に配設された折返し形状の係合部材からなり、前記衣類の開き部同士を合わせて前記対向する係合部材同士が係合したときに、前記異なるコイル同士が電磁誘導現象を生じるように接続させることを特徴とする付記１に記載の電力供給装置。
【００５４】
（付記５）
前記コイル形成部は、前記導電線の端部が接続され、かつ前記衣類の開き部の対向する位置に配置された磁性体からなる係合部材からなり、前記衣類の開き部同士を合わせて前記対向する係合部材同士が磁着したときに、前記異なる導電線同士が接続されることを特徴とする付記１に記載の電力供給装置。
【００５５】
（付記６）
前記コイル形成部は、前記導電線の端部が接続され、かつ前記衣類の開き部の対向する位置に配置された面ファスナからなる係合部材からなり、前記衣類の開き部同士を合わせて前記対向する係合部材同士が付着したときに、前記異なる導電線同士が接続されることを特徴とする付記１に記載の電力供給装置。
【００５６】
（付記７）
前記コイル形成部は、前記導電線の端部が接続され、かつ前記衣類の開き部の対向する位置に連続して配列された複数の小片部材と、前記対向位置の小片部材同士を噛み合わせるスライダとを有する係合部材からなり、前記衣類の開き部同士を合わせて前記対向する小片部材同士が噛み合ったときに、前記異なるコイル同士が接続されることを特徴とする付記１に記載の電力供給装置。
【００５７】
（付記８）
前記配列される小片部材は、導電線の端部が接続された小片部材と、少なくとの１つの絶縁性の小片部材とが交互に連続して配列されることを特徴とする付記７に記載の電力供給装置。
【００５８】
（付記９）
前記電力供給装置は、前記コイル形成部の所定位置を合わせる位置決め手段を、さらに備えたことを特徴とする付記１〜８のいずれか一つに記載の電力供給装置。
【００５９】
（付記１０）
前記電力供給装置は、前記導電線の接続状態を検知する検知手段を、さらに備えたことを特徴とする付記１〜９のいずれか一つに記載の電力供給装置。
【図面の簡単な説明】
【００６０】
【図１】本発明にかかる電力供給装置を用いたカプセル型内視鏡システムの概念を示すシステム概念図である。
【図２】図１に示した外部装置の概略構成を示すブロック図である。
【図３】図２に示した導電線が配設されるベストの実施の形態１を示す平面図である。
【図４】図３に示した係合部材の構成とこの係合部材に接続される導電線の状態を示す図である。
【図５】被検体内部のピルに電力供給が行われる原理を説明するための図である。
【図６】導電線の接続状態を検知する検知装置の構成を示す構成図である。
【図７】この発明にかかる導電線が配設されるベストの実施の形態２を示す平面図である。
【図８】図７に示した係合部材の構成を示す図である。
【図９】図７に示した導電線の配列と等価な回路を示す図である。
【図１０】この発明にかかる導電線が配設されるベストの実施の形態３を示す開き部部分の平面図である。
【図１１】実施の形態３の他の変形例を示す図である。
【図１２】実施の形態３のさらに他の変形例を示す図である。
【図１３】この発明にかかる導電線が配設されるベストの実施の形態４を示す平面図である。
【図１４】図１３に示した係合部材の一部を拡大した拡大図である。
【図１５】実施の形態４に用いる検知装置の構成を示す構成図である。
【図１６】導電線が配設されるベストの概略構成を示す平面図である。
【符号の説明】
【００６１】
１  被検体内導入装置（ピル）
２  外部装置
３  磁束
１０  被検体
２１  衣類（ベスト）
２２  開き部
２３，Ｃ１，Ｃ２  コイル形状の導電線（コイル）
２４  受信用アンテナ
２５  体外ユニット
２６  電流検出用コイル
２７  電流検出回路
３１〜３ｍ，５１〜５ｎ  導電線
４１〜４６  係合部材
４１ａ  凹部
４１ｂ，４２ｂ  端子
４２ａ  凸部
４３ａ，４４ａ  折返し部
４７，４７ａ，４７ｂ，４７ｃ  小片部材
４８  スライダ
５５  電圧検出回路
【図１】
2005052365.tif 000003
【図２】
2005052365.tif 000004
【図３】
2005052365.tif 000005
【図４】
2005052365.tif 000006
【図５】
2005052365.tif 000007
【図６】
2005052365.tif 000008
【図７】
2005052365.tif 000009
【図８】
2005052365.tif 000010
【図９】
2005052365.tif 000011
【図１０】
2005052365.tif 000012
【図１１】
2005052365.tif 000013
【図１２】
2005052365.tif 000014
【図１３】
2005052365.tif 000015
【図１４】
2005052365.tif 000016
【図１５】
2005052365.tif 000017
【図１６】
2005052365.tif 000018